(57)【要約】【課題】取付金具をネジで固定する際に、ネジによって電源ケーブルが損傷を受けることを抑制することができる取付金具を提供する。【解決手段】取付金具１００は、開口５０１を有する取付面Ｃに、取付対象物を取り付ける取付金具１００である。取付金具１００は、内側部１１０と、外側部１２０とを備える。外側部１２０は、内側部１１０よりも外側に配置される。内側部１１０には、少なくとも１つの貫通孔１１２ａ〜１１２ｄが形成される。内側部１１０には、取付対象物に電力を供給する電源ユニット４３０が通過可能な開口部１１４が形成されている。【選択図】図１
2017016998.tif 000002
【特許請求の範囲】
【請求項１】
開口を有する取付面に、取付対象物を取り付ける取付金具であって、
内側部と、
前記内側部よりも外側に配置される外側部と
を備え、
前記内側部には、少なくとも１つの貫通孔が形成され、
前記内側部には、前記取付対象物に電力を供給する電源ユニットが通過可能な開口部が形成されている、取付金具。
【請求項２】
前記内側部と前記外側部とにそれぞれ交差する交差部をさらに備え、
前記内側部と前記外側部とは段差を有する、請求項１に記載の取付金具。
【請求項３】
前記少なくとも１つの貫通孔には、前記内側部を前記取付面に固定するための固定具が挿入される、請求項１または請求項２に記載の取付金具。
【請求項４】
前記取付面に前記取付対象物を取り付ける際、
前記内側部の少なくとも一部は、前記取付面と当接する、請求項１から請求項３のいずれか１項に記載の取付金具。
【請求項５】
前記外側部は外側に向けて広がっている、請求項１から請求項４のいずれか１項に記載の取付金具。
【請求項６】
前記内側部は、円環状である、請求項１から請求項５のいずれか１項に記載の取付金具。
【請求項７】
前記内側部と前記外側部との少なくとも一方に前記取付対象物を保持する保持部をさらに備える、請求項１から請求項６のいずれか１項に記載の取付金具。
【請求項８】
開口を有し、前記開口から突出した突出部材が前記開口の内側に配置される取付面に、取付対象物を取り付ける取付金具セットであって、
請求項１から請求項７のいずれか１項に記載の取付金具と、
前記取付金具に結合可能な追加取付金具と
を備え、
前記追加取付金具は、ベース部を有し、
前記ベース部には、前記突出部材が通過可能である突出部材通過孔が形成され、
前記ベース部の外径は、前記取付金具の前記開口部の外径よりも大きい、取付金具セット。
【請求項９】
前記ベース部の外径は、前記取付金具の前記内側部の外径よりも小さい、請求項８に記載の取付金具セット。
【請求項１０】
前記突出部材通過孔は、前記ベース部の中心に配置される、請求項８または請求項９に記載の取付金具セット。
【請求項１１】
前記取付金具の前記外側部の外径は、前記開口の径よりも大きく、
前記取付金具の前記外側部の内径は、前記開口の径よりも小さい、請求項８から請求項１０のいずれか１項に記載の取付金具セット。
【請求項１２】
前記取付金具は、前記内側部から突起する少なくとも１つの突起部をさらに有し、
前記追加取付金具は、前記突起部と結合可能な結合部をさらに有する、請求項８から請求項１１のいずれか１項に記載の取付金具セット。
【請求項１３】
前記追加取付金具は、前記取付金具から取り外し可能である、請求項８から請求項１２のいずれか１項に記載の取付金具セット。
【請求項１４】
前記突出部材通過孔を通過した前記突出部材に係合する押さえ部をさらに備え、前記押さえ部が前記突出部材に係合することによって前記取付金具が前記取付面に押さえられる、請求項８から請求項１３のいずれか１項に記載の取付金具セット。
【請求項１５】
前記取付面に前記取付対象物を取り付ける際、
前記外側部の少なくとも一部は、前記取付面と当接する、請求項８から請求項１４のいずれか１項に記載の取付金具セット。
【請求項１６】
前記ベース部には、前記突出部材通過孔と異なる位置に位置する接続線通過孔がさらに形成されており、
前記接続線通過孔には、前記電源ユニットからの接続線が通過する、請求項８から請求項１５のいずれか１項に記載の取付金具セット。
【請求項１７】
光源部と、
前記光源部に電力を供給する電源ユニットと、
前記光源部を取り付ける取付金具または取付金具セットと
を備え、
前記取付金具は、前記光源部を前記取付対象物として取り付ける請求項１から請求項７のいずれか１項に記載の取付金具を含み、
前記取付金具セットは、前記光源部を前記取付対象物として取り付ける請求項８から請求項１６のいずれか１項に記載の取付金具セットを含む、照明器具。
【発明の詳細な説明】
【技術分野】
【０００１】
本発明は、取付金具、取付金具セットおよび照明器具に関する。
【背景技術】
【０００２】
従来、照明器具を天井に取り付けるために取付部材が使用されている（例えば、特許文献１）。特許文献１の照明器具では、取付部材にネジを挿通することによって、天井に照明器具を取り付けている。
【先行技術文献】
【特許文献】
【０００３】
【特許文献１】特開２００９−２５９５９４号公報
【発明の概要】
【発明が解決しようとする課題】
【０００４】
しかしながら、特許文献１に記載の照明器具では、取付部材にはコードが通過する大きさの孔しか開いていないため、取付部材を固定した後では電源ユニットを天井裏に設置することができず、取付部材を固定する前に電源ユニットを天井裏に設置する必要があった。このため、取付部材を固定するネジによって電源ケーブルが損傷を受ける可能性があった。つまり、ネジの長さが天井材の厚さよりも長い場合、ネジを天井へ捻じ込んでいくとネジが天井材を貫通しネジの先端が天井裏へ突出する場合がある。このとき、電源ケーブルがネジの先端やネジ山に接触し得る位置にあると、捻じ込み動作により回転しているネジが電源ケーブルに接触し、電源ケーブルが損傷を受ける可能性があった。
【０００５】
本発明は上記課題に鑑みてなされたものであり、その目的は、取付金具をネジで固定する際に、ネジによって電源ケーブルが損傷を受けることを抑制することができる取付金具、取付金具セットおよび照明器具を提供することにある。
【課題を解決するための手段】
【０００６】
本願に開示する取付金具は、開口を有する取付面に、取付対象物を取り付ける取付金具である。前記取付金具は、内側部と、外側部とを備える。前記外側部は、前記内側部よりも外側に配置される。前記内側部には、少なくとも１つの貫通孔が形成される。前記内側部には、前記取付対象物に電力を供給する電源ユニットが通過可能な開口部が形成されている。
【０００７】
本願に開示する取付金具において、交差部をさらに備えることが好ましい。前記交差部は、前記内側部と前記外側部とにそれぞれ交差することが好ましい。前記内側部と前記外側部とは段差を有することが好ましい。
【０００８】
本願に開示する取付金具において、前記少なくとも１つの貫通孔には、前記内側部を前記取付面に固定するための固定具が挿入されることが好ましい。
【０００９】
本願に開示する取付金具において、前記取付面に前記取付対象物を取り付ける際、前記内側部の少なくとも一部は、前記取付面と当接することが好ましい。
【００１０】
本願に開示する取付金具において、前記外側部は外側に向けて広がっていることが好ましい。
【００１１】
本願に開示する取付金具において、前記内側部は、円環状であることが好ましい。
【００１２】
本願に開示する取付金具において、前記内側部と前記外側部との少なくとも一方に前記取付対象物を保持する保持部をさらに備えることが好ましい。
【００１３】
本願に開示する取付金具セットは、開口を有し、前記開口から突出した突出部材が前記開口の内側に配置される取付面に、取付対象物を取り付ける。前記取付金具セットは、上記に記載の取付金具と、追加取付金具とを備える。前記追加取付金具は、前記取付金具に結合可能である。前記追加取付金具は、ベース部を有する。前記ベース部には、前記突出部材が通過可能である突出部材通過孔が形成される。前記ベース部の外径は、前記取付金具の前記開口部の外径よりも大きい。
【００１４】
本願に開示する取付金具セットにおいて、前記ベース部の外径は、前記取付金具の前記内側部の外径よりも小さいことが好ましい。
【００１５】
本願に開示する取付金具セットにおいて、前記突出部材通過孔は、前記ベース部の中心に配置されることが好ましい。
【００１６】
本願に開示する取付金具セットにおいて、前記取付金具の前記外側部の外径は、前記開口の径よりも大きいことが好ましい。前記取付金具の前記外側部の内径は、前記開口の径よりも小さいことが好ましい。
【００１７】
本願に開示する取付金具セットにおいて、前記取付金具は、少なくとも１つの突起部をさらに有することが好ましい。前記少なくとも１つの突起部は、前記内側部から突起することが好ましい。前記追加取付金具は、結合部をさらに有することが好ましい。前記結合部は、前記突起部と結合可能であることが好ましい。
【００１８】
本願に開示する取付金具セットにおいて、前記追加取付金具は、前記取付金具から取り外し可能であることが好ましい。
【００１９】
本願に開示する取付金具セットにおいて、前記突出部材通過孔を通過した前記突出部材に係合する押さえ部をさらに備えることが好ましい。前記押さえ部が前記突出部材に係合することによって前記取付金具が前記取付面に押さえられることが好ましい。
【００２０】
本願に開示する取付金具セットにおいて、前記取付面に前記取付対象物を取り付ける際、前記外側部の少なくとも一部は、前記取付面と当接することが好ましい。
【００２１】
本願に開示する取付金具セットにおいて、前記ベース部には、接続線通過孔がさらに形成されていることが好ましい。前記接続線通過孔は、前記突出部材通過孔と異なる位置に位置することが好ましい。前記接続線通過孔には、前記電源ユニットからの接続線が通過することが好ましい。
【００２２】
本願に開示する照明器具は、光源部と、電源ユニットと、取付金具または取付金具セットとを備える。前記電源ユニットは、前記光源部に電力を供給する。前記取付金具または前記取付金具セットは、前記光源部を取り付ける。前記取付金具は、上記に記載の取付金具を含む。前記取付金具は、前記光源部を前記取付対象物として取り付ける。前記取付金具セットは、上記に記載の取付金具セットを含む。前記取付金具セットは、前記光源部を前記取付対象物として取り付ける。
【発明の効果】
【００２３】
本発明によれば、取付金具をネジで固定する際に、ネジによって電源ケーブルが損傷を受けることを抑制することができる。
【図面の簡単な説明】
【００２４】
【図１】本発明の実施形態に係る取付金具の斜視図である。
【図２】（ａ）は、本発明の実施形態に係る取付金具の斜視図である。（ｂ）は、本発明の実施形態に係る取付金具の断面図である。
【図３】本発明の実施形態に係る取付金具セットの分解斜視図である。
【図４】本発明の実施形態に係る取付金具セットの斜視図である。
【図５】本発明の実施形態に係る取付金具セットの斜視図である。
【図６】（ａ）は、本発明の実施形態に係る取付金具セットの斜視図である。（ｂ）は、本発明の実施形態に係る取付金具セットの断面図である。
【図７】本発明の実施形態に係る照明器具の分解斜視図である。
【図８】本発明の実施形態に係る取付金具セットの分解斜視図である。
【図９】取付金具セットとフランジとの斜視図である。
【図１０】（ａ）は、本発明の実施形態に係る取付金具セットの斜視図である。（ｂ）は、本発明の実施形態に係る取付金具セットの側面図である。
【図１１】本発明の実施形態に係る取付金具セットの側面図である。
【図１２】本発明の実施形態に係る照明器具の断面図である。
【図１３】ヒートシンクの上面図である。
【図１４】本発明の実施形態に係る照明器具の断面図である。
【発明を実施するための形態】
【００２５】
以下、本発明の実施形態について、図面を参照しながら説明する。なお、図中、同一または相当部分については同一の参照符号を付して説明を繰り返さない。
【００２６】
図１を参照して、本発明の実施形態に係る取付金具１００について説明する。図１は、本発明の実施形態に係る取付金具１００の斜視図である。図１において、Ｘ軸およびＹ軸は水平方向に沿っており、Ｚ軸は鉛直方向に沿っており、Ｘ軸、Ｙ軸、およびＺ軸は互いに直交する。
【００２７】
取付金具１００は、内側部１１０と外側部１２０と交差部１３０とを備える。取付金具１００は、開口を有する取付面に、取付対象物を取り付ける。取付面は、例えば、天井、壁または床である。取付対象物は、例えば、照明器具またはスピーカーである。取付金具１００は、金属製の部材である。
【００２８】
内側部１１０は、例えば、円環状である。内側部１１０は、例えば、平坦状である。
【００２９】
内側部１１０には、貫通孔１１２ａ、貫通孔１１２ｂ、貫通孔１１２ｃおよび貫通孔１１２ｄが形成されている。貫通孔１１２ａ、貫通孔１１２ｂ、貫通孔１１２ｃおよび貫通孔１１２ｄは、長円状である。取付対象物を取付面に取り付ける際、貫通孔１１２ａ、貫通孔１１２ｂ、貫通孔１１２ｃおよび貫通孔１１２ｄは、固定具を取り付けるための孔として機能する。固定具は、例えば、ネジである。固定具によって内側部１１０が取付面に取り付けられる。
【００３０】
内側部１１０には、開口部１１４が形成されている。開口部１１４は、例えば、円状である。開口部１１４は、取付対象物に電力を供給する電源ユニットが通過可能な大きさである。開口部１１４は、電源ユニットの最小投影面における最大対角線よりも僅かに大きい内径を有することで、極力小さい開口面積とすることができる。
【００３１】
外側部１２０は、内側部１１０よりも径方向外側に配置される。外側部１２０は、例えば、平坦状である。外側部１２０は、径方向外側に向けて広がっている。本実施形態では、内側部１１０と外側部１２０とは平行である。
【００３２】
交差部１３０は、内側部１１０と外側部１２０とにそれぞれ交差する。交差部１３０は、内側部１１０と外側部１２０とに例えば直交する。
【００３３】
図２を参照して、本発明の実施形態に係る取付金具１００の取付面Ｃへの取付について説明する。図２（ａ）は、本発明の実施形態に係る取付金具１００の斜視図である。図２（ｂ）は、本発明の実施形態に係る取付金具１００の断面図である。なお、構成を明確に図示するために、図２（ａ）における取付面Ｃは一部断面描画した。
【００３４】
図２（ａ）に示すように、取付金具１００は、取付面Ｃ（天井）に取り付けられる。取付面Ｃは、開口５０１を有している。本実施形態では、取付面Ｃの開口５０１の径と取付金具１００の開口部１１４の径とは、略同一である。貫通孔１１２ａには、固定具１５６（ネジ）が挿入される。貫通孔１１２ｃには、固定具１５８（ネジ）が挿入される。なお、取付面Ｃの開口５０１の径と取付金具１００の開口部１１４の径とは、同一であることは必須ではなく、取付面Ｃの開口５０１の径と取付金具１００の開口部１１４の径のうち小さい方が、少なくとも電源ユニットを通過可能な径であればよい。
【００３５】
取付金具１００には、電源ユニットが通過可能な開口部１１４が形成されている。したがって、取付金具１００を取付面Ｃに取り付けた後に、電源ユニットが開口部１１４を通過するように移動させて、取付対象物の電源ユニットを取付面Ｃの上方（すなわち天井裏）に設置することができる。
【００３６】
図２（ｂ）に示すように、固定具１５６および固定具１５８によって、取付面Ｃに取付金具１００は取り付けられる。取付面Ｃに取付対象物を取り付ける際、内側部１１０の少なくとも一部は、取付面Ｃと当接することが好ましい。本実施形態では、内側部１１０の全てが、取付面Ｃと当接している。
【００３７】
内側部１１０と外側部１２０とは、段差ｄ１を有する。したがって、取付金具１００の剛性を高くすることができる。すなわち、内側部１１０と交差部１３０との境界部分、および外側部１２０と交差部１３０との境界部分は、それぞれ屈曲しているため、他の部分よりも曲げ剛性が高い。内側部１１０の外径ｄ２は、外側部１２０の外径ｄ３よりも小さい。
【００３８】
以上、図１および図２を参照して説明したように、取付金具１００において、内側部１１０には、取付対象物に電力を供給する電源ユニット４３０が通過可能な開口部１１４が形成されている。したがって、取付金具１００を取付面Ｃ（天井）に固定した後に、開口部１１４に通過させて電源ユニット４３０を天井裏に入れることができる。したがって、取付金具１００をネジで固定する際に、ネジによって電源ケーブル４３２が損傷を受けることを抑制することができる。つまり、本実施形態では電源ユニット４３０を天井裏に入れる前に取付金具１００を取付面Ｃ（天井）に固定することができるため、電源ユニット４３０を天井裏へ入れた後にネジの捻じ込み動作を行う必要がない。したがって、たとえネジの長さが天井材の厚さよりも長く、ネジが天井を貫通したとしても、ネジが電源ケーブルに損傷を与えることはない。一方、従来技術のように、電源ユニットを天井裏へ入れた後にネジを天井へ捻じ込む構成では、天井を貫通したネジが、捻じ込み動作により回転している状態で電源ケーブルに接触する可能性があり、電源ケーブルに損傷を与える可能性があった。
【００３９】
図３を参照して、本発明の実施形態に係る取付金具セット３００について説明する。図３は、本発明の実施形態に係る取付金具セット３００の分解斜視図である。
【００４０】
取付金具セット３００は、取付金具１００と、追加取付金具２００とを備える。取付金具１００は、図１を参照して説明した取付金具１００と同様な構成を有するため、重複部分については説明を省略する。
【００４１】
取付金具１００は、さらに、突起部１１６ａと、突起部１１６ｂとを備える。突起部１１６ａは、土台１１６ａ１と、ナット１１６ａ２と、ボルト１１６ａ３とを有する。土台１１６ａ１は、内側部１１０に配置される。ボルト１１６ａ３は、ナット１１６ａ２によって土台１１６ａ１に固定される。同様に、突起部１１６ｂは、土台１１６ｂ１と、ナット１１６ｂ２と、ボルト１１６ｂ３とを有する。土台１１６ｂ１は、内側部１１０に配置される。ボルト１１６ｂ３は、ナット１１６ｂ２によって土台１１６ｂ１に固定される。
【００４２】
追加取付金具２００は、取付金具１００に結合可能である。追加取付金具２００は、ベース部２１０と、結合部２２０ａと、結合部２２０ｂとを有する。結合部２２０ａと、結合部２２０ｂとは、ベース部２１０の端部に対向して設けられる。ベース部２１０の外径は、開口部１１４の外径よりも大きい。したがって、追加取付金具２００を取付金具１００に結合した場合、ベース部２１０によって開口部１１４は覆われる。追加取付金具２００は、取付金具１００に対して取り外し可能である。
【００４３】
ベース部２１０の中心には、突出部材通過孔２１２が形成されている。突出部材通過孔２１２は、例えば、円状である。突出部材通過孔２１２は、突出部材を通過させることが可能である。
【００４４】
ベース部２１０には、接続線通過孔２１４ａと、接続線通過孔２１４ｂとが形成されている。接続線通過孔２１４ａは、突出部材通過孔２１２よりも径方向外側に位置する。接続線通過孔２１４ｂは、突出部材通過孔２１２よりも径方向外側に位置する。
【００４５】
結合部２２０ａは、起立部２２２ａと、平坦部２２４ａとを有する。起立部２２２ａは、ベース部２１０からＺ軸に沿って起立している。平坦部２２４ａは、起立部２２２ａに接続されている。平坦部２２４ａには、貫通孔２２６ａが形成されている。貫通孔２２６ａの径は、ボルト１１６ａ３が通過する大きさである。同様に、結合部２２０ｂは、起立部２２２ｂと、平坦部２２４ｂとを有する。起立部２２２ｂは、ベース部２１０からＺ軸に沿って起立している。平坦部２２４ｂは、起立部２２２ｂに接続されている。平坦部２２４ｂには、貫通孔２２６ｂが形成されている。貫通孔２２６ｂの径は、ボルト１１６ｂ３が通過する大きさである。
【００４６】
図４を参照して、取付金具１００と追加取付金具２００との結合について説明する。図４は、本発明の実施形態に係る取付金具セット３００の斜視図である。
【００４７】
結合部２２０ａは、貫通ナット２２８ａをさらに有する。結合部２２０ｂは、貫通ナット２２８ｂをさらに有する。突起部１１６ａと結合部２２０ａとを結合させ、かつ、突起部１１６ｂと結合部２２０ｂとを結合させることによって、取付金具１００と追加取付金具２００とは結合される。具体的には、ボルト１１６ａ３を貫通孔２２６ａに挿入し貫通ナット２２８ａによって固定させ、かつ、ボルト１１６ｂ３を貫通孔２２６ｂに挿入し貫通ナット２２８ｂによって固定させることによって、取付金具１００と追加取付金具２００とは結合される。
【００４８】
図５および図６を参照して、本発明の実施形態に係る取付金具セット３００の取付面Ｃへの取付について説明する。図５および図６（ａ）は、本発明の実施形態に係る取付金具セット３００の斜視図である。図６（ｂ）は、本発明の実施形態に係る取付金具セット３００の断面図である。
【００４９】
取付金具セット３００は、取付面Ｃ（天井）に取り付けられる。取付面Ｃは、開口５０１を有している。取付面Ｃには、開口５０１の内側に突出部材Ｂ（吊りボルト）が配置される。突出部材Ｂは、開口５０１から突出している。突出部材Ｂの一端は、天井裏の上面５０４に取り付けられている（図６（ｂ）参照）。本実施形態では、突出部材Ｂの径は、追加取付金具２００の突出部材通過孔２１２の径よりも僅かに小さい。電源ユニットは、取付金具セット３００を取り付ける前に、天井裏に入れられる。
【００５０】
図５に示すように、取付金具セット３００は、さらに、押さえ部３１０を備える。押さえ部３１０は、ワッシャ３１２と、六角ナット３１４とを有する。押さえ部３１０が突出部材Ｂに螺合（係合）することによって取付金具１００が取付面Ｃに押さえられる。具体的には、突出部材通過孔２１２には、突出部材Ｂが挿入される。そして、突出部材通過孔２１２を通過した突出部材Ｂの先端にワッシャ３１２および六角ナット３１４が螺合されることによって、取付金具１００が取付面Ｃに押さえられる。その結果、取付金具セット３００は取付面Ｃに取り付けられる（図６（ａ）参照）。
【００５１】
図６（ｂ）に示すように、追加取付金具２００の突出部材通過孔２１２の径ｄ４は、突出部材Ｂの径よりも僅かに大きい。ベース部２１０の外径ｄ６は、開口部１１４の外径ｄ５よりも大きい。したがって、追加取付金具２００を取付金具１００に取り付けた場合、ベース部２１０によって開口部１１４は覆われる。
【００５２】
本実施形態では、ベース部２１０の外径ｄ６は、取付金具１００の内側部１１０の外径ｄ２よりも小さい。したがって、内側部１１０および交差部１３０で囲まれた空間内にベース部２１０を収めることができるので、取付金具セット３００を薄型にすることができる。また、追加取付金具２００を取付金具１００に取り付ける場合、内側部１１０とベース部２１０とが接触することによって、追加取付金具２００を取付金具１００に強固に固定することができる。
【００５３】
本実施形態では、外側部１２０の外径ｄ３は、開口５０１の径ｄ７よりも大きい。したがって、取付金具セット３００を取付面Ｃに取り付けた際、外側部１２０が取付面Ｃに当接する。
【００５４】
外側部１２０の内径ｄ８は、開口５０１の径ｄ７よりも小さい。したがって、取付金具セット３００を取付面Ｃに取り付けた際、内側部１１０が開口５０１に埋め込まれる。
【００５５】
本実施形態では、外側部１２０の内径ｄ８は、開口５０１の径ｄ７よりもわずかに小さい。したがって、取付金具セット３００を取付面Ｃに取り付けた際、取付金具セット３００が開口５０１にはめ込まれ、交差部１３０によって開口５０１に対する取付金具セット３００の位置決めをすることができる。その結果、突出部材Ｂが突出部材通過孔２１２の中心を通るように位置決めすることができる。
【００５６】
図５および図６を参照して、突出部材Ｂによって取付金具セット３００を取付面Ｃへ取り付ける形態について説明した。取付金具セット３００において、追加取付金具２００は、取付金具１００から取り外し可能である。したがって、取付金具１００から、追加取付金具２００を取り外すことによって、図２を参照して説明した取付金具１００と同様に、固定具１５６（ネジ）および固定具１５８（ネジ）によって、取付金具１００を取付面Ｃへ取り付けることができる。このように追加取付金具２００を取付金具１００に結合または取り外すことによって、２種類の取付方法で取付金具セット３００を取付面Ｃへ取り付けることができる。
【００５７】
以上、図３〜図６を参照して説明したように、取付金具セット３００は、取付金具１００と、追加取付金具２００とを備える。したがって、追加取付金具２００を取付金具１００に結合または取り外すことによって、２種類の取付方法で取付金具セット３００を取付面Ｃへ取り付けることができる。
【００５８】
図７を参照して、本発明の実施形態に係る照明器具４００について説明する。図７は、本発明の実施形態に係る照明器具４００の分解斜視図である。
【００５９】
照明器具４００は、例えば、天井吊り下げ灯である。照明器具４００は、電源ユニット４３０と、光源部４２０と、取付金具セット３００と、仮吊りチェーン４５０とを備える。取付金具セット３００は、取付金具１００に保持部１６０ａと、保持部１６０ｂと、保持部１６０ｃと、保持部１６０ｄとを備える点を除いて、図３および図４を参照して説明した取付金具セット３００と同様な構成を有するため、重複部分については説明を省略する。
【００６０】
取付金具セット３００は、取付対象物として光源部４２０を取付面Ｃへ取り付ける。取付金具１００は、内側部１１０と外側部１２０と交差部１３０とに加えて、保持部１６０ａと、保持部１６０ｂと、保持部１６０ｃと、保持部１６０ｄとをさらに備える。保持部１６０ａと、保持部１６０ｂと、保持部１６０ｃと、保持部１６０ｄについては、図８を参照して後述する。
【００６１】
光源部４２０を取付面Ｃへネジで取り付ける場合には、取付金具セット３００から追加取付金具２００を取り外し、ネジによって取付金具１００を取付面Ｃへ取り付ける。次に、電源ユニット４３０を室内側から開口部１１４および開口５０１を通過させて、天井裏へ配置する。次に、電源ケーブル４３２と光源部４２０の接続線４２５とを接続する。次に、光源部４２０のフランジ４２１を取付金具１００の保持部１６０ａ，１６０ｂ，１６０ｃ，および１６０ｄに固定する。したがって、フランジ４２１を取付面Ｃへ取り付けることができ、光源部４２０を取付面Ｃから吊下げることができる。
【００６２】
一方、光源部４２０を取付面Ｃへ突出部材Ｂによって取り付ける場合には、まず、電源ユニット４３０を室内側から開口部１１４および開口５０１を通過させて、天井裏へ配置する。次に、取付金具セット３００が備える追加取付金具２００の突出部材通過孔２１２に突出部材Ｂを通し、追加取付金具２００の接続線通過孔２１４ａまたは２１４ｂに電源ケーブル４３２を通す。次に、突出部材通過孔２１２を通過した突出部材Ｂの先端にワッシャ３１２および六角ナット３１４を螺合させることによって、取付金具セット３００を取付面Ｃに固定する。次に、電源ケーブル４３２と光源部４２０の接続線４２５とを接続する。次に、光源部４２０のフランジ４２１を取付金具１００の保持部１６０ａ〜１６０ｄに固定する。したがって、フランジ４２１を取付面Ｃへ取り付けることができ、光源部４２０を取付面Ｃから吊下げることができる。
【００６３】
このように、照明器具４００は、追加取付金具２００を取付金具１００に結合または取り外すことによって、２種類の取付方法で光源部４２０を取付面Ｃへ取り付けることができる。
【００６４】
電源ユニット４３０は、光源部４２０に電力を供給する。電源ユニット４３０は、電源ケーブル４３２（接続線）と、コネクタ４３４とを有する。電源ケーブル４３２の一端は電源ユニット４３０の出力端子に接続されている電源ケーブル４３２の他端はコネクタ４３４に接続されている。
【００６５】
光源部４２０は、フランジ４２１と、電源コード４２２と、接続線４２５と、コネクタ４２６と、光源４２７と、セード４２８とを有する。
【００６６】
フランジ４２１は、取付金具セット３００を覆い、取付金具セット３００および取付面Ｃの開口５０１が外部から露出しないようにしている。フランジ４２１には、貫通孔４２３ａと、貫通孔４２３ｂと、貫通孔４２３ｃと、貫通孔４２３ｄとが形成されている。貫通孔４２３ａ〜貫通孔４２３ｄに、保持部１６０ａ〜保持部１６０ｄが挿入され、貫通ナット４３１ａ〜貫通ナット４３１ｄによってフランジ４２１は取付金具セット３００に固定される。保持部１６０ａ〜保持部１６０ｄは、追加取付金具２００と接触しない位置に配置されている。
【００６７】
光源部４２０のコネクタ４２６は、電源ユニット４３０のコネクタ４３４と接続される。接続線４２５の一端は、コネクタ４２６に接続されている。接続線４２５の他端は電源コード４２２に接続されている。電源コード４２２の一端は、接続線４２５に接続されている。電源コード４２２の他端は、光源４２７に接続されている。
【００６８】
光源４２７は、例えば、ＬＥＤ（Ｌｉｇｈｔ  Ｅｍｉｔｔｉｎｇ  Ｄｉｏｄｅ）ユニットである。光源４２７は、電源ユニット４３０から電力を供給されることによって点灯する。
【００６９】
図８および図９を参照して、本発明の実施形態に係る取付金具セット３００について説明する。図８は、本発明の実施形態に係る取付金具セット３００の分解斜視図である。図９は、取付金具セット３００とフランジ４２１との斜視図である。
【００７０】
図８に示すように、保持部１６０ａは、土台１６１ａと、ナット１６２ａと、ボルト１６４ａとを有する。土台１６１ａは、内側部１１０に配置される。ボルト１６４ａは、ナット１６２ａによって土台１６１ａに固定される。同様に、保持部１６０ｂは、土台１６１ｂと、ナット１６２ｂと、ボルト１６４ｂとを有する。保持部１６０ｃは、土台１６１ｃと、ナット１６２ｃと、ボルト１６４ｃとを有する。保持部１６０ｄは、土台１６１ｄと、ナット１６２ｄと、ボルト１６４ｄとを有する。
【００７１】
図９に示すように、取付金具１００は、さらに、切欠部１７０を備える。切欠部１７０には、仮吊りチェーン４５０の一端が引っかけられる。仮吊りチェーン４５０の他端はフランジ４２１と接続されている。したがって、フランジ４２１を取付金具１００から吊り下げた状態で、コネクタ４３３とコネクタ４３６とを接続するような作業を容易に行うことができる。
【００７２】
また、追加取付金具２００の接続線通過孔２１４ｂには、電源ユニット４３０からの電源ケーブル４３２が挿入される。したがって、コネクタ４３３とコネクタ４２６とを接続することができ、電源ユニット４３０からの電力を接続線４２５を介して電源コード４２２に供給することができる。
【００７３】
図１０および図１１を参照して、本発明の実施形態に係る取付金具セット３００について説明する。図１０（ａ）は、本発明の実施形態に係る取付金具セット３００の斜視図である。図１０（ｂ）は、本発明の実施形態に係る取付金具セット３００の側面図である。図１１は、本発明の実施形態に係る取付金具セット３００の側面図である。図３および図８を参照して説明した取付金具セット３００との重複部分については説明を省略する。なお、図１１の側面図に示すようにフランジ４２１を側方から目視した場合、本来フランジ４２１の内部構造は目視できないが、フランジ４２１の内部構造を明確に図示するためにフランジ４２１を概略描画し、内部構造を描いた。
【００７４】
図１０（ａ）に示すように、取付金具セット３００は、取付金具１００と、追加取付金具２００とを備える。取付金具１００は、内側部１１０と、外側部１２０と、交差部１３０と、保持部１６０ａと、保持部１６０ｂとに加えて、さらに、脚部１８０ａと、脚部１８０ｂと、脚部１８０ｃと、脚部１８０ｄとを備える。
【００７５】
脚部１８０ａは、平坦部１８２ａと、起立部１８４ａとを有する。脚部１８０ａは、Ｌ字状の形状を有する。起立部１８４ａは、平坦部１８２ａからＺ軸に沿って起立している。平坦部１８２ａには、貫通孔１８６ａが形成されている。貫通孔１８６ａの径は、ボルト１６４ａが通過する大きさである。貫通孔１８６ａにボルト１６４ａが挿通され、ボルト１６４ａにナット１６２ａが螺合されることによって、脚部１８０ａは土台１６１ａに固定される。脚部１８０ｂと、脚部１８０ｃと、脚部１８０ｄとは、脚部１８０ａと同様な構成を有するため説明を省略する。
【００７６】
取付金具１００は、さらに、脚部保持部１９０ａと、脚部保持部１９０ｂとを備える。脚部保持部１９０ａは、土台１９１ａと、ナット１９２ａと、ボルト１９４ａとを有する。土台１９１ａは、内側部１１０に配置される。脚部１８０ｂの貫通孔にボルト１９４ａが挿通され、ボルト１９４ａにナット１９２ａが螺合されることによって、脚部１８０ｂは土台１９１ａに固定される。同様に、脚部保持部１９０ｂによって、脚部１８０ｄは脚部保持部１９０ｂの土台に固定される。
【００７７】
図１０（ｂ）に示すように、取付金具１００の内側部１１０から脚部１８０ａ〜脚部１８０ｄの先端までのそれぞれの長さｄ９は等しい。取付金具１００の内側部１１０から貫通ナット２２８ａおよび貫通ナット２２８ｂの先端までのそれぞれの長さは、取付金具１００の内側部１１０から脚部１８０ａ〜脚部１８０ｄの先端までのそれぞれの長さｄ９よりも短い。
【００７８】
図２（ｂ）を参照して説明した取付金具１００および図６（ｂ）を参照して説明した取付金具セット３００は、取付金具１００が取付面Ｃと接触するように取付金具１００が取付面Ｃに取り付けられていた。しかしながら、取付金具１００が取付面Ｃと接触しないように取付金具１００が取付面Ｃに取り付けられてもよい。
【００７９】
図１１に示すように、取付金具１００は、取付面Ｃと接触していない。すなわち、フランジ４２１は、取付面Ｃと接触していない。フランジ４２１は、内周部４２１ａと、外周部４２１ｂとを有する。外周部４２１ｂは、内周部４２１ａよりも径方向外側に配置される。内周部４２１ａと、外周部４２１ｂとは接続している。
【００８０】
図１０（ｂ）を参照して説明したように、取付金具１００の内側部１１０から貫通ナット２２８ａおよび貫通ナット２２８ｂの先端でのそれぞれの長さは、取付金具１００の内側部１１０から脚部１８０ａ〜脚部１８０ｄの先端までのそれぞれの長さｄ９よりも短い。したがって、貫通ナット２２８ａおよび貫通ナット２２８ｂがフランジ４２１の外周部４２１ｂに接触することなく、脚部１８０ａ〜脚部１８０ｄが、フランジ４２１の外周部に接触する。その結果、脚部１８０ａ〜脚部１８０ｄによって取付金具セット３００の姿勢が固定され、取付金具１００が取付面Ｃと接触していない場合であっても、取付金具セット３００のグラつきを抑制することができる。
【００８１】
なお、本実施形態では、脚部１８０ａ〜脚部１８０ｄは取付金具１００が備えていたが、脚部１８０ａ〜脚部１８０ｄはフランジ４２１が備えていてもよい。フランジ４２１の脚部１８０ａ〜脚部１８０ｄのそれぞれが、取付金具１００の内側部１１０と接触することによって、取付金具セット３００の姿勢が固定され、取付金具セット３００のグラつきを抑制することができる。
【００８２】
また、電源ユニット４３０は、突出部材Ｂに取り付けられている。したがって、天井裏に電源ユニット４３０が設置できない場合であっても、電源ユニットを設置することができる。
【００８３】
図７〜図９を参照して説明した照明器具４００は、天井吊り下げ灯であったが、これに限定されない。例えば、ダウンライトのような天井直付け灯であってもよい。
【００８４】
図１２および図１３を参照して、本発明の実施形態に係る照明器具４００について説明する。図１２は、本発明の実施形態に係る照明器具４００の断面図である。図１３は、ヒートシンク４４１の上面図である。
【００８５】
図１２に示すように、照明器具４００は、電源ユニット（図１２では図示せず）と、光源部４２０と、取付金具セット３００とを備える。光源部４２０は、フランジ４２１と、光源４２７と、ヒートシンク４４１と、ヒートシンクカバー４４２と、光源カバー４４３とを有する。
【００８６】
取付金具セット３００は、固定具１５６（ネジ）によって取付面Ｃに固定される。ヒートシンク４４１は、光源４２７の上部に固定される。ヒートシンク４４１は、複数のフィン４４１ａを含む。ヒートシンク４４１は、複数のフィン４４１ａによって放熱し、光源４２７の温度上昇を抑制する。ヒートシンクカバー４４２は、ヒートシンク４４１を覆い、ヒートシンク４４１が外部から露出しないようにしている。光源カバー４４３は、光源４２７を覆う。
【００８７】
フランジ４２１の内周部４２１ａの底部（ヒートシンク４４１に接している部分）には４つの貫通孔が形成されている。図１３に示すように、ヒートシンク４４１には、ビス穴４４４ａと、ビス穴４４４ｂと、ビス穴４４４ｃと、ビス穴４４４ｄとが形成されている。４つのビス４３５（図１２参照）がフランジ４２１の４つの貫通孔に通され、ビス穴４４４ａ、ビス穴４４４ｂ、ビス穴４４４ｃおよびビス穴４４４ｄとのそれぞれに螺合されることによって、フランジ４２１はヒートシンク４４１に取り付けられる。したがって、取付金具セット３００によって、フランジ４２１を固定することによって、光源部４２０は一体的に取付面Ｃに固定される。
【００８８】
図１２および図１３を参照して説明した照明器具４００は、固定具１５６（ネジ）によって、取付金具セット３００を取付面Ｃへ取り付けていたが、図１４に示すように、突出部材Ｂによって取付金具セット３００を取付面Ｃへ取り付けてもよい。図１４は、本発明の実施形態に係る照明器具４００の断面図である。
【００８９】
ワッシャ３１２と、六角ナット３１４とが、が突出部材Ｂに螺合（係合）することによって取付金具セット３００は取付面Ｃに取り付けられる。その結果、取付金具セット３００によって、フランジ４２１を固定することによって、光源部４２０は一体的に取付面Ｃに固定される。
【００９０】
以上、図面（図１〜図１４）を参照しながら本発明の実施形態を説明した。但し、本発明は、上記の実施形態に限られるものではなく、その要旨を逸脱しない範囲で種々の態様において実施することが可能である（例えば、下記に示す（１）〜（８））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００９１】
（１）図１〜図３を参照して説明した取付金具１００では、取付面Ｃに取付対象物を取り付ける際、内側部１１０の全てが取付面Ｃと当接していたが、これに限定されない。取付面Ｃに取付対象物を取り付ける際、内側部１１０の一部が当接していなくてもよい。
【００９２】
（２）図１〜図３を参照して説明した取付金具１００は、交差部１３０を備えていたが、これに限定されない。取付金具１００は、交差部１３０を備えていなくてもよい。
【００９３】
（３）図３〜図６および図１０を参照して説明した取付金具セット３００では、追加取付金具２００は、突出部材通過孔２１２を１つ有していたが、これに限定されない。例えば、追加取付金具２００は、突出部材通過孔２１２を２つ以上有していてもよい。この場合、２つ以上の突出部材Ｂに突出部材通過孔２１２を通すことによって、取付金具セット３００は、取付面Ｃに取り付けられる。
【００９４】
（４）図３〜図６および図１０を参照して説明した取付金具セット３００では、取付面Ｃに取付対象物を取り付ける際、外側部１２０の全てが取付面Ｃと当接していたが、これに限定されない。取付面Ｃに取付対象物を取り付ける際、外側部１２０の一部が当接していなくてもよい。
【００９５】
（５）図３〜図６および図１０を参照して説明した取付金具セット３００では、ベース部２１０の外径ｄ６は、内側部１１０の外径ｄ２よりも小さかったが、これに限定されない。ベース部２１０の外径ｄ６は、内側部１１０の外径ｄ２よりも大きいまたは同じであってもよい。
【００９６】
（６）図７〜図９および図１２〜図１４を参照して説明した照明器具４００は、天井吊り下げ灯、図１０〜図１３を参照して説明した照明器具４００は、ダウンライト（天井直付け灯の一例）であったが、これに限定されない。照明器具４００は、天井直付け灯として、例えば、シーリングライトであってもよい。また、照明器具４００は、例えば、ブラケットライトのような壁直付け灯、またはフットライトのような床直付け灯であってもよい。
【００９７】
（７）図７〜図９および図１２〜図１４を参照して説明した照明器具４００では、保持部１６０ａ〜保持部１６０ｄは、内側部１１０に設けられていたが、これに限定されない。例えば、保持部１６０ａ〜保持部１６０ｄは、外側部１２０に設けられてもよい。
【００９８】
（８）図７〜図９および図１２〜図１４を参照して説明した照明器具４００では、光源部４２０を取付面Ｃへネジで取り付ける場合、または、光源部４２０を取付面Ｃへ突出部材Ｂによって取り付ける場合について説明したが、これに限定されない。光源部４２０をネジおよび突出部材Ｂによって取り付けてもよい。この場合、まず、取付金具セット３００から追加取付金具２００を取り外し、ネジによって取付金具１００を取付面Ｃへ取り付ける。次に、電源ユニット４３０を室内側から開口部１１４および開口５０１を通過させて、天井裏へ配置する。次に、追加取付金具２００の突出部材通過孔２１２に突出部材Ｂを通し、追加取付金具２００の接続線通過孔２１４ａまたは２１４ｂに電源ケーブル４３２を通し、追加取付金具２００を取付金具１００にネジで固定する。突出部材通過孔２１２を通過した突出部材Ｂの先端にワッシャ３１２および六角ナット３１４を螺合させることによって、取付金具セット３００を取付面Ｃに固定する。次に、電源ケーブル４３２と光源部４２０の接続線４２５とを接続する。次に、光源部４２０のフランジ４２１を取付金具１００の保持部１６０ａ〜１６０ｄに固定する。したがって、フランジ４２１を取付面Ｃへ取り付けることができ、光源部４２０を取付面Ｃから吊下げることができる。なお、ワッシャ３１２および六角ナット３１４を突出部材Ｂの先端に螺合させずに、突出部材通過孔２１２に突出部材Ｂを通すだけでもよい。
【符号の説明】
【００９９】
１００      取付金具
１１０      内側部
１１２ａ、１１２ｂ、１１２ｃ、１１２ｄ    貫通孔
１１４      開口部
１１６ａ、１１６ｂ    突起部
１２０      外側部
１３０      交差部
１５６、１５８    固定具
１６０ａ、１６０ｂ、１６０ｃ、１６０ｄ    保持部
２００      追加取付金具
２１０      ベース部
２１２      突出部材通過孔
２１４ａ、２１４ｂ    接続線通過孔
２２０ａ、２２０ｂ    結合部
３００      取付金具セット
３１０      押さえ部
４００      照明器具
４２０      光源部
５０１      開口
Ｂ          突出部材
Ｃ          取付面
【図１】
2017016998.tif 000003
【図２】
2017016998.tif 000004
【図３】
2017016998.tif 000005
【図４】
2017016998.tif 000006
【図５】
2017016998.tif 000007
【図６】
2017016998.tif 000008
【図７】
2017016998.tif 000009
【図８】
2017016998.tif 000010
【図９】
2017016998.tif 000011
【図１０】
2017016998.tif 000012
【図１１】
2017016998.tif 000013
【図１２】
2017016998.tif 000014
【図１３】
2017016998.tif 000015
【図１４】
2017016998.tif 000016